(57)【要約】【課題】包装用袋に印刷した図柄、文字があたかも飛び出して見えるようにしたことにより、消費者が思わず触れてみたくなるような包装用袋を提供する。【解決手段】プラスチックフィルムをヒートシールして形成した包装用袋において、プラスチックフィルムに印刷された高輝度インキ、或いは干渉性又は偏光性の高いインキによる図柄及び／又は文字と合致した部分のプラスチックフィルムに、包装用袋の外側または内側に突出した突出加工部を形成したことを特徴とする包装用袋。【選択図】図２
2005014935.tif 000002
【特許請求の範囲】
【請求項１】
プラスチックフィルムをヒートシールして形成した包装用袋において、プラスチックフィルムに印刷された図柄及び／又は文字と合致した部分のプラスチックフィルムに、包装用袋の外側または内側に突出した突出加工部を形成したことを特徴する包装用袋。
【請求項２】
プラスチックフィルムに印刷された図柄及び／又は文字が高輝度インキ、或いは干渉性又は偏光性の高いインキにより印刷されていることを特徴とする請求項１に記載の包装用袋。
【請求項３】
包装用袋が、胴材となる２枚のプラスチックフィルムと、２枚の胴材との間に、逆Ｖ字状に折り畳まれた状態で配置されたプラスチックフィルムをヒートシールすることにより形成された自立袋であることを特徴とする請求項１または２に記載の包装用袋。
【発明の詳細な説明】
【０００１】
【発明の属する技術分野】
本発明は、プラスチックフィルムをヒートシールすることにより形成された包装用袋の加飾に関するものであり、より詳細には、包装用袋に印刷された図柄及び／又は文字と合致する部分に、包装用袋の外側または内側に突出する突出加工部を形成したことにより、図柄及び／又は文字があたかも飛び出して見えるようにしたことにより、消費者が思わず触れてみたくなるような包装用袋に関する。
【０００２】
【従来の技術】
プラスチックフィルムをヒートシールすることにより形成された包装用袋は知られており、従来、同一形態の包装用袋間の差別化は、プラスチックフィルムに施される印刷画面に工夫を凝らすグラフィック上のみで行われている。
また、昨今では、包装用袋のヒートシール部周縁をカットし、カット形状に応じた特定の機能を付与させるとともに、その形状の違いにより包装用袋間の差別化といった効果も併せ持っていた。
例えば、自立袋のヒートシール部の両サイドの一部を対称的にカットすることにより、自立したときの自立安定性の向上を図り、併せて、自立したときの美観を高めた自立袋が提案されている（特許文献１参照）。
また、自立袋を使用するに際して、絞り部が内側に食い込んで形成された凹部に指が引っ掛かりやすくした自立袋も提案されている（特許文献２参照）。
【０００３】
【特許文献１】
特開平１０−９５４３９号公報
【特許文献２】
特開平９−２２１１４９号公報
【０００４】
【発明が解決しようとする課題】
上記特許文献で提案されているように包装用袋の両サイドを種々形状にカットし、いわゆる異形パウチとして、通常の矩形状パウチと差別化したものは多く見られる。
しかしながら、通常、平面である包装用袋のプラスチックフィルム自体に、包装用袋の外側または内側に突出した突出加工部を、図柄や文字等の印刷部分と位置合わせして施したものは未だ存在しない。
そこで、本発明の課題は、プラスチックフィルムに印刷された図柄及び／又は文字と合致した部分のプラスチックフィルムに突出加工部を形成することにより図柄、文字があたかも飛び出して見えるようにしたことにより、消費者が思わず触れてみたくなるような包装用袋を提供する。
【０００５】
【課題を解決するための手段】
本発明は、上記目的を達成するために提案されたものであって、下記の構成からなることを特徴とする。
すなわち、本発明によれば、プラスチックフィルムをヒートシールして形成した包装用袋において、プラスチックフィルムに印刷された図柄及び／又は文字と合致した部分のプラスチックフィルムに、包装用袋の外側または内側に突出した突出加工部を形成したことを特徴とする包装用袋を提供する。
【０００６】
本発明によれば、プラスチックフィルムに印刷された図柄及び／又は文字が高輝度インキ、或いは干渉性又は偏光性の高いインキにより印刷されている。
【０００７】
また、本発明によれば、包装用袋が、胴材となる２枚のプラスチックフィルムと、２枚の胴材との間に、底材となる逆Ｖ字状に折り畳まれた状態で配置されたプラスチックフィルムをヒートシールすることにより形成された自立袋であることが好ましい。
【０００８】
【発明の実施の形態】
［作用］
本発明の包装用袋では、プラスチックフィルムに印刷された図柄及び／又は文字と合致した部分のプラスチックフィルムに突出加工部を形成しているので、図柄、文字があたかも飛び出したように見える。
【０００９】
本発明の包装用袋を構成するプラスチックフィルムは、包装用袋としたとき、表面層となる外層フィルムと、ヒートシール性を有する内層フィルムの少なくとも２層からなっている。また、特に、内容物が酸素に敏感なものであったり、内容物中に香気成分が含まれているような場合には、バリヤー性の層を少なくとも１層設けてもよい。
【００１０】
外層フィルムとしては、ポリエチレンテレフタレート、ポリエチレンナフタレート等のポリエステル類、ナイロン６、ナイロン１２、ナイロン６，６、ナイロン６，１０、ナイロン１０，６、ナイロン６／６，６共重合体等の脂肪族ナイロン、ポリメタキシリレンアジパミド等の部分芳香族ナイロン等のポリアミド類、ポリプロピレン、等を挙げることができ、これらのフィルムは二軸延伸して用いられる。
【００１１】
内層フィルムとしては、低密度、中密度、或いは高密度ポリエチレン、直鎖状低密度ポリエチレン、エチレン−プロピレンブロック或いはランダム共重合体、ホモポリプロピレン、エチレン−酢酸ビニル共重合体、等のポリオレフィン類が好適に使用される。
【００１２】
バリヤー性を有する層としては、アルミ箔、エチレン−ビニルアルコール共重合体、メタキシリレン基含有ポリアミド、珪素酸化物薄膜、酸化アルミニウム薄膜、等を挙げることができる。
【００１３】
上記各フィルムは、ドライラミネート、押出しラミネート、サンドイッチラミネート等のそれ自体は公知のラミネート方法によりラミネートされる。
【００１４】
高輝度インキとしては、アルミ顔料やガラス系顔料等を樹脂でバインドしたものを挙げることができる。また、干渉性又は偏光性の高いインキとしては、パール顔料を樹脂でバインドしたものを挙げることができる。
印刷方法としては、それ自体公知の種々の印刷方法によることができるが、好適にはグラビア印刷法が挙げられる。
また、上記顔料は、見る角度によって見え方や受ける印象が変わる性質があ
る。その性質を利用して、上記顔料をマスターバッチとして内層フィルムに練り込み、フィルム全体に上記顔料を散らしても、突出加工部分では周りの平坦な部分より一層目立たせる効果がある。
【００１５】
本発明によれば、プラスチックフィルムに印刷された図柄及び／又は文字と合致した部分のプラスチックフィルムに、突出加工部を設けることを特徴とするが、その加工方法を図１で説明する。
まず、プラスチックフィルム３をロール状に巻いたロール状プラスチックフィルム２から間欠的に巻き出し、図示しない位置決め装置にて、プラスチックフィルム３に印刷された図柄８の位置を検出し、加熱手段４で、加工適正温度に加熱される。この加熱は、図柄８周辺を部分的に加熱しても、プラスチックフィルム３全体を加熱してもよい。また、加熱手段４としては、所定温度に加熱された熱板をプラスチックフィルム３に接触させる方法、熱風を吹き付ける方法が挙げられるが、加熱温度の安定を考慮すると、熱板をプラスチックフィルム２に接触させる方法が好適に用いられる。プラスチックフィルム３の加熱は、フィルムの表面、裏面或いは表裏両面加熱のいずれでもよい。加熱温度については、プラスチックフィルム３の熱的性質に依存しているが、１５０〜２２０℃に加熱された熱板を０．１〜２秒間接触させる。つぎに、加熱されたプラスチックフィルム３を間欠的に巻き出し、常温または冷却水で冷却された雄型５と雌型６で挟持し、図柄８と合致した位置に突出加工部７が形成される。
突出加工部７が形成されたプラスチックフィルム３は、通常の方法によりヒートシールされて包装用袋とされる。
【００１６】
【実施例】
本発明を図面に基づき説明するが、本発明はこれに限定するものではない。
図１は、プラスチックフィルムに突出加工を形成するための装置を示す模式図であり、図２は本発明の包装用袋の正面図である。図３は本発明の包装用袋の側面図である。
図１に示される突出加工部形成装置１は、１５０〜２２０℃に加熱された加熱手段４と、その下流側に雄型５と雌型６が対面した状態で配置されている。ロール状プラスチックフィルム２から間欠的に巻き出されたプラスチックフィルム３は加熱手段４で加熱され、常温または冷却水で冷却された雄型５と雌型６に挟持されて突出加工部７が形成される。
図２および図３は、本発明の包装用袋であり、包装用袋９は表裏２枚の胴材１０と底材１１とからなる。胴材１０には高輝度インキによる図柄８が印刷されており、この図柄８と合致した位置には突出加工部７が形成されている。
【００１７】
（実施例１）
外層フィルムとして厚さ１５μｍのナイロン６フィルムに高輝度インキとしてアルミ顔料をウレタン系樹脂でバインドしたインキをグラビア印刷して図柄とロゴマークを印刷した。
つぎに別途準備しておいた直鎖状低密度ポリエチレンからなる内層フィルムと上記ナイロンフィルムの印刷面をウレタン系接着剤を使用して、ドライラミネートによりプラスチックフィルムを作製した。
このプラスチックフィルムを図１に示した突出加工部形成装置にて、図柄及びロゴマークと合致した位置に突出加工部を形成した。この際、加熱手段として
は、２００℃に加熱した熱板をプラスチックフィルムに０．５秒接触させる方法をとった。また、雄型および雌型は型内部に冷却水を通して、１８℃に設定し
た。その後、通常の方法によりヒートシールした図２および図３に示した自立袋を作製した。
【００１８】
【発明の効果】
本発明の包装用袋によれば、プラスチックフィルムに印刷された高輝度インキによる図柄及び／又は文字と合致した部分のプラスチックフィルムに突出加工部を形成することにより図柄、文字があたかも飛び出して見えるようにしたことにより、消費者が思わず触れてみたくなるような包装用袋を提供する。
【図面の簡単な説明】
【図１】突出加工部形成装置の一例を示す模式図である。
【図２】本発明の包装用袋の一例を示す正面図である。
【図３】本発明の包装用袋の一例を示す側面図である。
【符号の説明】
１  突出加工部形成装置
２  ロール状プラスチックフィルム
３  プラスチックフィルム
４  加熱手段
５  雄型
６  雌型
７  突出加工部
８  図柄
９  包装用袋
１０  胴材
１１  底材
１２  ヒートシール部
【図１】
2005014935.tif 000003
【図２】
2005014935.tif 000004
【図３】
2005014935.tif 000005